(57)【要約】【課題】携帯用端末に備えられる平板表示装置としての有機電界発光表示装置において、同一面に第１ディスプレイパネル及び第２ディスプレイパネルが備えられ、前記２つのディスプレイパネルを介して表示される情報が互いに連動して実現される有機電界発光表示装置を提供する。【解決手段】本発明は、 同一面に形成された第１ディスプレイパネル及び第２ディスプレイパネルと、前記第１及び第２ディスプレイパネル上に一体に形成されたタッチパネルと、前記タッチパネルを駆動するタッチパネル制御部と、前記第１及び第２ディスプレイパネルを制御し、前記ディスプレイパネルを介してディスプレイされる情報を映像信号と前記映像信号に対応するデータ信号とに分離してこれを前記第１及び第２ディスプレイパネルにそれぞれ提供するディスプレイ制御部とを含む。【選択図】図１
2009251592.tif 000002
【特許請求の範囲】
【請求項１】
同一面に形成された第１ディスプレイパネル及び第２ディスプレイパネルと、
前記第１及び第２ディスプレイパネル上に一体に形成されたタッチパネルと、
前記タッチパネルを駆動するタッチパネル制御部と、
前記第１及び第２ディスプレイパネルを制御し、前記ディスプレイパネルを介して表示される情報を映像信号と前記映像信号に対応するデータ信号とに分離してこれを前記第１及び第２ディスプレイパネルにそれぞれ提供するディスプレイ制御部と
を含むことを特徴とする有機電界発光表示装置。
【請求項２】
前記第１及び第２ディスプレイパネルは、複数の薄膜トランジスタ及び発光素子が含まれている画像表示部が形成された第１基板と、
前記第１基板上に形成されて前記画像表示部を封止する封止基板と
を含んで構成されることを特徴とする請求項１に記載の有機電界発光表示装置。
【請求項３】
前記タッチパネルは前記封止基板上に一体に形成されることを特徴とする請求項２に記載の有機電界発光表示装置。
【請求項４】
前記タッチパネルは、
前記封止基板の一面に形成される透明電極と、前記透明電極のエッジ又は各辺に形成された金属電極と、前記封止基板の上面に形成された偏光フィルムとを含んで構成されることを特徴とする請求項３に記載の有機電界発光表示装置。
【請求項５】
前記タッチパネルは静電容量方式で駆動されることを特徴とする請求項１に記載の有機電界発光表示装置。
【請求項６】
前記ディスプレイ制御部は、前記第１及び第２ディスプレイパネルを介して表示される情報を互いに連動して提供することを特徴とする請求項１に記載の有機電界発光表示装置。
【発明の詳細な説明】
【技術分野】
【０００１】
本発明は有機電界発光表示装置に関し、特に、同一面に第１ディスプレイパネル及び第２ディスプレイパネルが備えられ、前記２つのディスプレイパネルを介して表示される情報が互いに連動して提供される有機電界発光表示装置に関する。
【背景技術】
【０００２】
通常、携帯電話又はＰＤＡなどの携帯用端末の急速な普及により、多くの人が携帯用端末を用いている。また、前記携帯用端末の携帯性を向上させるために、携帯用端末の小型化、スリム化、軽量化が持続的に進められている。これにより、前記携帯用端末に装着される部品が小型化、半導体集積化されている。
但し、このような携帯用端末の小型化傾向にも拘らず、前記携帯用端末に搭載されるディスプレイ、即ち、表示装置はユーザの便宜を図るために、１つ以上備えられることが要求されている。
【０００３】
これにより、近年、携帯用端末に搭載される表示装置は、メーンディスプレイ部と、サブディスプレイ部とに区分されて機構的に前記携帯用表示装置の両面に備えられるのが一般的である。ここで、メーンディスプレイ部は通話情報を含む多様な映像を表示し、サブディスプレイ部は時計、文字によるお知らせ、電話受信のお知らせなどの簡単な情報のみを表示する。
【０００４】
また、前記携帯用端末に搭載される表示装置としては、ＬＣＤなどのような平板表示装置（Ｆｌａｔ Ｐａｎｅｌ Ｄｉｓｐｌａｙ）が用いられる。平板表示装置は既存のＣＲＴに比べて厚さが薄くて広い空間を必要としない上に、電力の消耗が少ないことから、前記携帯用端末のディスプレイ条件を備えているといえる。
しかしながら、このような従来の構造による場合、前記サブディスプレイ部は単純な機能のため、活用度が低下してしまうという短所がある。
【０００５】
即ち、ユーザの立場ではメーンディスプレイ部を通じてのみメニューの選択、文字の伝送、ＤＭＢ受信、写真撮影、画像通話などの特定アプリケーションの実現が可能である。そして、メーンディスプレイ部と異なる面に備えられるサブディスプレイ部を通じては、前述した単純な機能以外に前記メーンディスプレイ部のような多様なアプリケーションが困難であるという問題点がある。
【特許文献１】大韓民国特許公開第２００７−００３１５７４号
【特許文献２】大韓民国特許公開第２００６−００３７２８８号
【特許文献３】日本特許公開第２００５−１９１７０８号
【特許文献４】日本特許公開第２００７−０５３７６０号
【発明の開示】
【発明が解決しようとする課題】
【０００６】
本発明は上記事情に鑑みてなされたものであって、その目的は、携帯用端末に備えられる平板表示装置としての有機電界発光表示装置において、同一面に第１ディスプレイパネル及び第２ディスプレイパネルが備えられ、前記２つのディスプレイパネルを介して表示される情報が互いに連動して提供される有機電界発光表示装置を提供することにある。
【０００７】
また、本発明の他の目的は、前記第１及び２ディスプレイパネルの上面に一体型タッチパネルが形成される有機電界発光表示装置を提供することにある。
【課題を解決するための手段】
【０００８】
前記目的を達成するための本発明の一側面による有機電界発光表示装置は、同一面に形成された第１ディスプレイパネル及び第２ディスプレイパネルと、前記第１及び第２ディスプレイパネル上に一体に形成されたタッチパネルと、前記タッチパネルを駆動するタッチパネル制御部と、前記第１及び第２ディスプレイパネルを制御し、前記ディスプレイパネルを介してディスプレイされる情報を映像信号と前記映像信号に対応するデータ信号とに分離してこれを前記第１及び第２ディスプレイパネルにそれぞれ提供するディスプレイ制御部とを含むことを特徴とする。
【０００９】
また、前記第１及び第２ディスプレイパネルは、複数の薄膜トランジスタ及び発光素子が含まれている画像表示部が形成された第１基板と、前記第１基板上に形成されて前記画像表示部を封止する封止基板とを含んで構成される。
更に、前記タッチパネルは前記封止基板上に一体に形成され、前記封止基板の一面に形成される透明電極と、前記透明電極のエッジ又は各辺に形成された金属電極と、前記封止基板の上面に形成された偏光フィルムとを含んで構成される。
【発明の効果】
【００１０】
本発明によれば、携帯用端末に備えられた２つ以上のディスプレイパネルが一面に形成され、前記２つのディスプレイパネルを介して表示される情報が互いに連動して提供されることで、携帯用端末ユーザの便宜を図ることができるという効果を奏する。
また、前記多数のディスプレイパネル上に１つの一体型タッチパネルが形成されることで、それぞれのディスプレイパネル上に別途のタッチパネルを形成することに比べて生産コストを低減できるという長所がある。
【発明を実施するための最良の形態】
【００１１】
下記の詳細な説明は、本発明の特定の実施形態だけを詳細に記載し示す。本発明の技術分野において通常の知識を有する者は、本発明の技術的思想から逸脱しない範囲内で下記の実施形態を多様に変形できる。従って、添付する図面と説明は、本発明を説明するだけであって、これに限定されない。また、１つの構成要素が他の構成要素と「接触している（ｏｎ）」ということはそれがその他の構成要素と直接接触したり、１つ以上の要素を２つの間に介在させて間接的に接触していることを意味する。また、ある要素が他の要素に「結合されている」ということは、それがその他の要素に直接的に連結されているか、１つ以上の要素を２つの間に介在させて間接的に連結されていることを意味する。以下では、同じ参照番号は同じ構成要素を意味する。
【００１２】
図１は、本発明の実施形態による有機電界発光表示装置を概略的に示すブロック図である。
図１を参照すれば、本発明の実施形態による有機電界発光表示装置は、同一面に形成された第１ディスプレイパネル１００及び第２ディスプレイパネル１０２と、タッチパネル２００と、タッチパネル制御部３００及びディスプレイ制御部４００が含まれて構成される。ここで、タッチパネル２００は第１及び第２ディスプレイパネル上に一体に形成され、タッチパネル制御部３００はタッチパネルを駆動する。そして、ディスプレイ制御部４００は第１及び第２ディスプレイパネルを制御し、ディスプレイパネルを介して表示される情報を映像信号と、映像信号に対応するデータ信号（例えば、テキスト又はメニューデータ）とに分離してこれを第１及び第２ディスプレイパネルにそれぞれ提供する。
【００１３】
このような本発明の実施形態による有機電界発光表示装置の概略的な動作を説明すれば、以下の通りである。
衛星波又は地上波を通じて受信された放送信号はディスプレイ制御部４００に入力され、これはディスプレイ制御部４００により映像信号と、映像信号に対応するデータ信号（例えば、テキスト又はメニューデータ）とに分離される。
【００１４】
これにより、データ信号、一例としてメニューデータ信号はディスプレイ制御部４００の第１入出力端４０２を介して第１ディスプレイパネル１００に伝送されて第１ディスプレイパネル１００の画像表示部に表示される。
その後、第１ディスプレイパネル１００に備えられた画像表示部にメニュー画面が表示されると、ユーザは出力されたメニュー画面のうち、特定メニューを選択するために第１ディスプレイパネル１００上部に形成されたタッチパネル２００の一領域を接触することで、これを選択する。
【００１５】
これにより、タッチパネル２００は接触した地点に関する情報、即ち、選択されたメニューに関する情報（コマンドデータ）をタッチパネル制御部３００に伝達する。これにより、コマンドデータがディスプレイ制御部４００の第１入出力端４０２に入力される。
【００１６】
その後、ディスプレイ制御部４００は第１入出力端４０２で入力を受けたコマンドデータを第２入出力端４０４に出力する。これにより、コマンドデータに該当する映像やイメージデータが第２ディスプレイパネル１０２に出力される。
このような構成によれば、地上波又は衛星ＤＭＢのモバイルテレビ実現時に放送チャネルの情報及びチャネル選択などの情報が第１ディスプレイパネル１００に出力されて前記情報を選択すれば、それによるチャネルの放送情報が第２ディスプレイパネル１０２に出力されるように実現が可能である。
【００１７】
また、既存の待機画面やフォントなどの機能を変更して使用しようとする場合、各メニューの画面に移動して設定及び変更された画面を確認しなければならなかった。しかしながら、前記本発明の実施形態によれば、各メニューの機能を第１ディスプレイパネル１００で実現することで、第２ディスプレイパネル１０２は第１ディスプレイパネル１００の設定された環境によってリアルタイムで変更された画面を表示できるようになる。
【００１８】
また、映画を視聴するとき、第２ディスプレイパネル１０２で映像情報によって出力される字幕が出る場合、第１ディスプレイパネル１００でユーザが所望する第２の外国語に翻訳された字幕が同時にリアルタイムで出力されるように実現が可能になる。
【００１９】
更に、映画やミュージックビデオなどの動画を視聴する途中にＳＭＳ文字情報が受信された場合、従来は現在使用中の機能を終了し、確認しなければならなかった。しかしながら、本発明の実施形態によれば、前記ＳＭＳ文字情報は第１ディスプレイパネル１００で出力して確認することができるので、このような煩わしさを克服できるようになる。
このとき、第１ディスプレイパネル１００及び第２ディスプレイパネル１０２は有機電界発光表示パネルで実現される。
【００２０】
また、第１及び第２ディスプレイパネル上に１つのタッチパネル２００が前記ディスプレイパネル１００、１０２と一体に形成されることを特徴とし、これについては下記の図２を通じてより詳細に説明する。
このような本発明の実施形態による構造によれば、前記第１及び第２ディスプレイパネル１００、１０２が一面に形成され、前記２つのディスプレイパネルを介して表示される情報が互いに連動して提供されることで、携帯用端末ユーザの便宜を図ることができ、それぞれのディスプレイパネル上に別途のタッチパネルを形成することに比べて生産コストを低減できるようになる。
【００２１】
図２は、図１に示した第１及び第２ディスプレイパネル及びタッチパネルの一領域に対する断面図である。
図２を参照すれば、第１及び第２ディスプレイパネルの画像表示部１１０がそれぞれ形成された第１基板１１１と、第１基板１１１に形成された画像表示部１１０を封止するために、第１基板１１１の上部に形成された封止基板１４０と、封止基板１４０上に一体に形成されたタッチパネル２００とが含まれて構成される。
【００２２】
このとき、図２の場合、第１及び第２ディスプレイパネルの各画像表示部１１０が同じ第１基板１１１上に形成され、それぞれの画像表示部１１０を封止するために、同じ封止基板１４０が備えられるものと説明している。しかしながら、これは説明の便宜のための１つの実施形態に過ぎず、第１及び第２ディスプレイパネルの画像表示部は別途の基板上にそれぞれ形成されることができ、これにより、封止基板も別途に形成されることができる。
【００２３】
但し、タッチパネル２００は第１及び第２ディスプレイパネル上、即ち、封止基板が１つで実現されるか否かと関係なく、少なくとも１つ以上の封止基板上に一体に形成されることを特徴とする。
第１基板１１１上に形成されたそれぞれの画像表示部１１０は、複数の薄膜トランジスタ１２０と複数の発光素子１３０とを含む。即ち、第１基板１１１上にはバッファ層１１２と半導体層１１７が順次形成され、半導体層１１７上にはゲート絶縁膜１１３、ゲート電極１２１、層間絶縁膜１１４、ソース及びドレイン電極１２３及び保護膜１１５が形成される。このとき、薄膜トランジスタ１２０は半導体層１１７、ゲート電極１２０、ソース及びドレイン電極１２２などからなり、薄膜トランジスタ１２０上には保護膜１１５に形成されたコンタクトトホール（図示せず）を介して薄膜トランジスタ１２０と電気的に連結される発光素子１３０が形成される。
発光素子１３０は、アノード電極１３１、発光層１３３及びカソード電極１３５を含む。アノード電極１３１と保護膜１１５上には画素定義膜１１６が形成される。
【００２４】
また、薄膜トランジスタ１２０及び発光素子１３０を含む画像表示部１１０上には封止基板１４０が形成されて、第１基板１１１と共に薄膜トランジスタ１２０及び発光素子１３０を封止する。このとき、第１基板１１１と封止基板１４０は封止材１１８により封止され、封止基板１４０は透明性を有するガラスなどのような絶縁基板で実現することができる。そして、封止基板１４０の下部面には封止基板１４０と第１基板１１１との間に残存する水分を吸湿する透明吸湿剤（図示せず）が設けられ得る。
【００２５】
本発明の実施形態は、封止基板１４０上にタッチパネル２００が一体に形成されることを特徴とし、タッチパネル２００は静電容量方式のタッチパネルで実現することが好ましい。
即ち、図２に示す実施形態の場合、封止基板１４０上面に透明電極２１０がコーティングされており、透明電極２１０のエッジ又は各辺には金属電極２２０が形成されている。
【００２６】
このとき、透明電極２１０はＩＴＯ（Ｉｎｄｉｕｍ Ｔｉｎ Ｏｘｉｄｅ）などを用いる。また、金属電極２２０は透明電極２１０周辺に抵抗ネットワークを形成する。抵抗ネットワークは透明電極２１０の表面全体に均等に制御信号を送出するために、線形パターンに形成される。
一方、金属電極２２０の材質は銀などで実現し得る。そして、金属電極２２０は透明電極２１０に直接シルクスクリーン印刷した後、熱処理して形成するか、一般的な導電性物質を蒸着した後にパターニングして形成する。
そして、金属電極２２０を含む封止基板１４０の全面に偏光フィルム２３０が形成される。
【００２７】
偏光フィルム２３０は柔軟性があり、外部から入射する光を選別して透過させる機能を行う。このような偏光フィルム２３０を介して外部光の反射を防止することで、前記有機電界発光表示装置を介して表示される画像の視認性を向上させることができるようになる。
また、偏光フィルム２３０は導電性ペン（ｃｏｎｄｕｃｔｉｖｅ ｓｔｙｌｕｓ）又は指と透明電極２１０との電気的な短絡を防止する。従って、静電容量方式のタッチパネル２００は導電性ペン又は指が偏光フィルム３３の上部に位置したり、又は偏光フィルム２３０をタッチした場合に電圧ドロップが発生してタッチ位置を検出するようになる。
【００２８】
一方、このような静電容量方式のタッチパネル２００は、充電と放電を持続的に行なう。このとき、タッチパネル２００の四隅にアナログ測定回路（電流センサ）を連結して充電量を測定する。このような静電容量方式のタッチパネル２００は透明な金属酸化膜でコーティングされた曲面又は平面ガラスであって、均一な電界が生成されるように各コーナーに電圧が印加され、指又はペンで書くと、電圧ドロップが発生してタッチ位置を決定するようになる。
【００２９】
以上説明したように、本発明の最も好ましい実施の形態について説明したが、本発明は、上記記載に限定されるものではなく、特許請求の範囲に記載され、又は明細書に開示された発明の要旨に基づき、当業者において様々な変形や変更が可能であることはもちろんであり、斯かる変形や変更が、本発明の範囲に含まれることは言うまでもない。
【図面の簡単な説明】
【００３０】
【図１】本発明の実施形態による有機電界発光表示装置を概略的に示すブロック図である。
【図２】図１に示した第１及び第２ディスプレイパネル及びタッチパネルの一領域に対する断面図である。
【符号の説明】
【００３１】
１００   第１ディスプレイパネル
１０２   第２ディスプレイパネル
３００   タッチパネル制御部
４００   ディスプレイ制御部
４０２   第１入出力端
４０４   第２入出力端
【図１】
2009251592.tif 000003
【図２】
2009251592.tif 000004